(57)【要約】【課題】  平面四角形状で前面開口外箱内へ出入自在に上面開口の内箱を収納させたシート状物収納容器において、収納物を一枚宛取出すことが容易で、かつ内箱引出しと押込みの際には音を発して開閉時、使用者は開閉の確実性に対する安心感が得られるよう設けた。【解決手段】  内箱21の上面前部から斜下後方へガイド板24を突出して、底板25と連続させ、かつ連続部前方の内箱下面を開放し、かつガイド板後部から第３板バネ26を垂下させておき、外箱１の底板２ないし側板前部へ指掛け用切欠き３を設けると共に、第３板バネ26下方の外箱底板部分へ第２係合突条９を付設し、内箱21抜き差し時に第３板バネ26が第２係合突条９を強制乗越えしてその弾性復元で音を発するよう設けた。【選択図】  図４
2005186974.tif 000002
【特許請求の範囲】
【請求項１】
平面四角形状とした、前面開口の外箱１と該外箱内へ出入自在に嵌合させた上面開口の内箱21とからなり、
内箱21の上面前部から斜下後方へガイド板24を突出して内箱底板４と連続させ、かつ該連続部前方の内箱部分を下面開口としてガイド板24後部から第３板バネ26を垂下させ、
外箱１の頂板２ないし側板前部へ内箱指掛け用の切欠き３を設けると共に、上記第３板バネ26下方の底板４部分へ第２係合突部９を付設して、上部内箱抜き差し時、第２係合突部９を強制乗越えした第３板バネ26が弾性復元時音を発するよう設けた
ことを特徴とするシート状物収納容器。
【請求項２】
上記内箱21を外箱内から前限まで抜出ししたとき、第３板バネ26が強制乗越えする第１係合突部８を外箱底板４前部に付設し、その強制乗越えによる第３板バネ26の弾性復元で音を発するよう設けた
ことを特徴とする、請求項１記載のシート状物収納容器。
【請求項３】
上記切欠き３を、外箱頂板２の前端部に設けると共に、内箱21の前部上面を頂板22で閉塞し、かつ該頂板上面へ、外箱１内への内箱21嵌脱時に上記切欠き３内へ嵌脱して切欠き３を開閉する、指掛け用隆起板23を付設した
ことを特徴とする、請求項１又は２記載のシート状物収納容器。
【請求項４】
上記外箱頂板２へ上面開口で通気孔11付き凹部10を設けて該凹部内へ乾燥剤12を収納し、かつ該凹部上面を非通気性シート13で密閉させ、又内箱21の前部上面を頂板22で閉塞すると共に内箱21を後限まで外箱１内へ押込みしたとき、上記内箱頂板22の上面とガイド板24の左右両側面と底板25下面との全周の内外箱部分を気密にシールするシール突条15を外箱１の内面ないし内箱外面へ周設した
ことを特徴とする請求項１、２又は３記載のシート状物収納容器。
【発明の詳細な説明】
【技術分野】
【０００１】
本発明はシート状物収納容器に関する。
【背景技術】
【０００２】
平面四角形状で上面中央部を開口させた横向き袋状の外装体と、該外装体内へ収納させた、上板外周から脚筒を垂下しかつ上板中央部に取出し孔を有する台と、該台内へ重ねたシートと、上記外装体の開口を開閉するシート状蓋とを有し、該蓋の外周部下面へは感圧接着剤層を付設して、該蓋外周部下面を上記台上板により支持された、外装体上部の開口周辺へ押付けすることで開閉自在に閉塞したシート状物収納容器が知られている。（特許文献１）
【特許文献１】特開２００３−３１２７５７号公報
【発明の開示】
【発明が解決しようとする課題】
【０００３】
本発明は、湿気を有しない紙、又シート状食品等のシート状収納物を取出しが容易にかつそのシート状物取出しの際の容器開放と閉塞の際は音を発して容器の開放又密閉が確実に行われていることを聴覚を介しても確認でき、安心感が得られるよう設けたものである。
【課題を解決するための手段】
【０００４】
第１の手段として平面四角形状とした、前面開口の外箱１と該外箱内へ出入自在に嵌合させた上面開口の内箱21とからなり、
内箱21の上面前部から斜下後方へガイド板24を突出して内箱底板４と連続させ、かつ該連続部前方の内箱部分を下面開口としてガイド板24後部から第３板バネ26を垂下させ、
外箱１の頂板２ないし側板前部へ内箱指掛け用の切欠き３を設けると共に、上記第３板バネ26下方の底板４部分へ第２係合突部９を付設して、上部内箱抜き差し時、第２係合突部９を強制乗越えした第３板バネ26が弾性復元時音を発するよう設けた。
【０００５】
第２の手段として、上記第１の手段を有すると共に上記内箱21を外箱内から前限まで抜出ししたとき、第３板バネ26が強制乗越えする第１係合突部８を外箱底板４前部に付設し、その強制乗越えによる第３板バネ26の弾性復元で音を発するよう設けた。
【０００６】
第３の手段として、上記第１、又は第２の手段を有すると共に上記切欠き３を、外箱頂板２の前端部に設けると共に、内箱21の前部上面を頂板22で閉塞し、かつ該頂板上面へ、外箱１内への内箱21嵌脱時に上記切欠き３内へ嵌脱して切欠き３を開閉する、指掛け用隆起板23を付設した。
【０００７】
第４の手段として、上記第１、第２又は第３の手段を有すると共に上記外箱頂板２へ上面開口で通気孔11付き凹部10を設けて該凹部内へ乾燥剤12を収納し、かつ該凹部上面を非通気性シート13で密閉させ、又内箱21の前部上面を頂板22で閉塞すると共に内箱21を後限まで外箱１内へ押込みしたとき、上記内箱頂板22の上面とガイド板24の左右両側面と底板25下面との全周の内外箱部分を気密にシールするシール突条28を外箱１の内面ないし内箱外面へ周設した。
【発明の効果】
【０００８】
請求項１記載のようにすることで、外箱１に対して、切欠き３から露出する部分へ指を掛けて内箱21を前方へ引出しでき、又該前方引出しと後方押込みすることで容器を開閉でき、内箱を前方引出しした状態で該内箱内へ積み重ねして収納させた最上位のシート状物をそのまま前方へ摺動させれば、傾斜するガイド板24上面に沿って内箱前方へ出ることとなって、その取出しが容易であり、更に内箱引出し時と押込み時に音を発するから該音が確認音となって内箱開閉についての安心感が得られる。
【０００９】
請求項２のようにすることで、内箱21を前限まで引出しできたことを音で確認できる便利がある。
【００１０】
請求項３のようにすることで、内箱引出し又押込みの操作を隆起板23を介して行うことが出来、その操作が容易となる。
【００１１】
請求項４のようにすることで、内箱内を乾燥状態に保つことが出来、従って常に乾燥したシート状物を使用できる。
【発明を実施するための最良の形態】
【００１２】
図１から図５が示す第１実施形態について説明すると、本発明容器は外箱と内箱とからなる。
【００１３】
外箱１は、前後方向へ長くやや長方形状で前面を開口する、高さの低い箱としている。その頂板２の前部には、前方側が巾広の台形状切欠き３を設けており、又底板４の前部には、図３、図４が示すように、凹字形状の切離し線５，５を、その開口を前後に向合せてかつ相当の間隙をおいて穿設して前後一対の第１、第２板バネ６，７としている。その前方の第１板バネ６の上面前部と、第２板バネ７後部には、それぞれ第１、第２係合突部８，９を付設している。尚上記切欠き３は側板の前部に設けてもよい。又頂板２前部には、上面開口の凹部10を設けて該凹部に複数の通気孔11を穿設し、その凹部内へは乾燥剤12を収納して凹部上面をシート13で閉塞している。その凹部はその底板を頂板下方へ僅かに垂下させて形成している。
【００１４】
内箱21は、上記外箱１内への差込みと引出しが自在に形成したもので、前部を除き上面開口の箱としている。前部上面には頂板22を有し、該頂板上面には既述台形状切欠き３内へ嵌合させる滑止め付きの指掛け用隆起板23を付設している。又頂板後端から斜下後方へガイド板24を突出し、該ガイド板後端を底板25と連続させて該連続部よりも前方の内箱部分は下面開口とさせている。又ガイド板24後部からは第３板バネ26を垂下させている。
【００１５】
外箱１内への内箱21嵌合時、内箱の後板27は凹部10下面に接して弾性変形し、凹部下面通過で弾性復元する。
【００１６】
図４が示す内箱21後限位置において、外箱１の後板14内面へ、内箱後板27が接し、又このとき、第３板バネ26下端は第２係合突条９の後面側へ位置する。
【００１７】
図５は内箱21が前限に位置する状態を示し、このとき内箱の後板27上端は既述凹部10の後面へ接し、又第３板バネ26は第１係合突条８前方に位置する。
【００１８】
図４が示す内箱後限位置から図５の前限位置へ移動させ、又図４の後限位置まで内箱21を戻す際、第３板バネ26は前進時と後進時に第１、第２係合突条８，９を各一回宛強制乗越えし、その乗越え時に音を発する。尚図示例にあっては、第１係合突条８が第１板バネ６に、又第２係合突条９が第２板バネ７に、それぞれ付設してあるため、第３板バネ26が第１、第２係合突条８，９を強制乗越えする際、上記第１、第２板バネ６，７も弾性変形した後弾性復元し、該弾性復元によっても音を発する。
【００１９】
図６と図７とは第２実施形態を示す。第１実施形態と同一部分については同一符号を付することで相違部分についてだけ説明すると、隆起板23は頂板後端部2aを残し、その前方へ付形しており、又外箱１の内面へは、内箱21を後限まで外箱内へ押込みしたとき、内箱頂板22後部の上面とガイド板24の左右両側面と該ガイド板後端と接する底板部分との全周を気密にシールするシール突条15を周設している。該シール突条はエラストマー等の塗料塗布によって形成することも出来る。尚そのシール突条15は、そのシール突条付設部分に対応する内箱外面部分へ周設させてもよい。
【図面の簡単な説明】
【００２０】
【図１】内箱引出し状態で示す本発明容器の斜視図である。
【図２】図１容器の平面図である。
【図３】図１容器の底面図である。
【図４】内箱押込み状態で示す、図１容器の縦断面図である。
【図５】図４状態から内箱を引出した状態で縦断面図である。
【図６】第２実施形態で示す、容器の縦断面図である。
【図７】図６容器から内箱を引出した状態で示す斜視図である。
【符号の説明】
【００２１】
１  外箱                            ２  頂板
３  切欠き                          ６  第１板バネ
７  第２板バネ                      ８  第１係合突部
９  第２係合突部                    10  凹部
12  乾燥剤                          21  内箱
23  隆起板                          24  ガイド板
26  第３板バネ
【図１】
2005186974.tif 000003
【図２】
2005186974.tif 000004
【図３】
2005186974.tif 000005
【図４】
2005186974.tif 000006
【図５】
2005186974.tif 000007
【図６】
2005186974.tif 000008
【図７】
2005186974.tif 000009